(57)【要約】【課題】表示パネル、シャーシ及びベゼルを所望の湾曲状態で組み合わせることができる表示装置を提供する。【解決手段】湾曲状態の矩形の表示パネル１０と、表示パネル１０が取り付けられた湾曲状のシャーシ２０と、表示パネル１０の湾曲する湾曲辺に沿って延在する湾曲状の長辺ベゼル３１とを備え、長辺ベゼル３１は、シャーシ２０の端部及び表示パネル１０の湾曲辺の端部を挟み込む挟み込み部を有し、挟み込み部は、表示パネル１０の湾曲辺に沿って離散的に複数設けられている。【選択図】図３Ａ
2015219387.tif 000002
【特許請求の範囲】
【請求項１】
湾曲状態の矩形の表示パネルと、
前記表示パネルが取り付けられた湾曲状のシャーシと、
前記表示パネルの湾曲する湾曲辺に沿って延在する湾曲状のベゼルとを備え、
前記ベゼルは、前記シャーシの端部及び前記表示パネルの前記湾曲辺の端部を挟み込む挟み込み部を有し、
前記挟み込み部は、前記湾曲辺に沿って離散的に複数設けられている
表示装置。
【請求項２】
前記ベゼルは、前記湾曲辺に沿って湾曲するように延在する第１フレームを有し、
前記第１フレームは、前記湾曲辺の側面に対向する主面を有する板体であり、かつ、平面視形状が湾曲形状であり、
前記挟み込み部は、前記第１フレームに設けられている
請求項１に記載の表示装置。
【請求項３】
前記挟み込み部は、一対の挟み込み片である
請求項１又は２に記載の表示装置。
【請求項４】
前記一対の挟み込み片の一方は、前記第１フレームの短手方向の両端部の一方から前記表示パネル側に向かって突出し、かつ、前記湾曲辺に沿って延在する板状の第２フレームであり、
前記一対の挟み込み片の他方は、前記第１フレームの短手方向の両端部の他方の一部から前記表示パネル側に向かって突出する舌片である
請求項３に記載の表示装置。
【請求項５】
前記第２フレームは、側面視形状が湾曲形状である
請求項４に記載の表示装置。
【請求項６】
さらに、前記第１フレームと前記湾曲辺との間に位置し、かつ、前記表示パネルの位置を規制する規制部と、前記挟み込み部に挟み込まれ、かつ、前記規制部に接続される接続部とを有するパネルフックを備える
請求項４又は５に記載の表示装置。
【請求項７】
前記接続部は、前記シャーシの端部と前記挟み込み部とに挟持されている
請求項６に記載の表示装置。
【請求項８】
前記ベゼルは、前記舌片に接続され、かつ、前記第１フレームよりも内側に設けられた突起部を有し、
前記突起部と前記パネルフックとがネジによって固定されている
請求項６又は７に記載の表示装置。
【請求項９】
前記ベゼル及び前記シャーシは、予め湾曲形状に形成されており、
前記シャーシは、前記表示パネルを湾曲状態で保持する
請求項１〜８のいずれか１項に記載の表示装置。
【請求項１０】
前記ベゼルは、予め湾曲形状に形成されており、
前記シャーシは、前記ベゼルの湾曲形状にならうように湾曲変形しており、
前記ベゼルは、前記表示パネル及び前記シャーシを湾曲状態で保持する
請求項１〜８のいずれか１項に記載の表示装置。
【請求項１１】
前記シャーシは、予め湾曲形状に形成されており、
前記ベゼルは、前記シャーシの湾曲形状にならうように湾曲変形しており、
前記シャーシは、前記表示パネル及び前記ベゼルを湾曲状態で保持する
請求項１〜８のいずれか１項に記載の表示装置。
【発明の詳細な説明】
【技術分野】
【０００１】
本開示は、表示装置に関する。
【背景技術】
【０００２】
表示装置は、例えば、有機ＥＬ（Ｅｌｅｃｔｒｏ  Ｌｕｍｉｎｅｓｃｅｎｃｅ）表示パネル又は液晶表示パネル等の薄型の表示パネルを備える。この種の表示装置として、湾曲した表示パネルを備える湾曲ディスプレイも提案されている（例えば特許文献１）。近年、テレビ用の湾曲ディスプレイとして、大画面の表示パネルを湾曲させた構造の表示装置も開発されている。
【０００３】
表示パネルは、ガラス基板を薄くすることでパネルの厚みを薄くしたり、フレキシブル基板を用いたりすることによって湾曲させることができる。つまり、曲げ応力を加えることによってフラットな表示パネルを湾曲させることで、湾曲状態の表示パネルを得ることができる。この場合、表示パネルは、例えば、予め湾曲形状に形成された板状のシャーシ（補強部材）に取り付けることで湾曲状態を維持させることができる。
【先行技術文献】
【特許文献】
【０００４】
【特許文献１】特開２００３−２８０５４８号公報
【発明の概要】
【発明が解決しようとする課題】
【０００５】
表示パネルの周囲には、表示パネルの外周端部を覆うようにベゼルが配置されている。ベゼルは、表示パネルが取り付けられたシャーシに取り付けられる。
【０００６】
しかしながら、湾曲ディスプレイでは、表示パネル、シャーシ及びベゼルを所望の湾曲状態で組み合わせることが難しい。
【０００７】
本開示は、このような課題に鑑みてなされたものであり、表示パネル、シャーシ及びベゼルを所望の湾曲状態で組み合わせることができる表示装置を提供することを目的とする。
【課題を解決するための手段】
【０００８】
上記課題を解決するために、表示装置の一態様は、湾曲状態の矩形の表示パネルと、前記表示パネルが取り付けられた湾曲状のシャーシと、前記表示パネルの湾曲する湾曲辺に沿って延在する湾曲状のベゼルとを備え、前記ベゼルは、前記シャーシの端部及び前記表示パネルの前記湾曲辺の端部を挟み込む挟み込み部を有し、前記挟み込み部は、前記湾曲辺に沿って離散的に複数設けられている。
【発明の効果】
【０００９】
本開示における表示装置によれば、表示パネル、シャーシ及びベゼルを所望の湾曲状態で組み合わせることができる。
【図面の簡単な説明】
【００１０】
【図１】実施の形態に係る表示装置の外観斜視図である。
【図２Ａ】実施の形態に係る表示装置において表示パネルとシャーシとベゼルとが組み合わされたときの状態を示す上面図である。
【図２Ｂ】実施の形態に係る表示装置において表示パネルとシャーシとベゼルとが組み合わされたときの状態を示す正面図である。
【図２Ｃ】実施の形態に係る表示装置において表示パネルとシャーシとベゼルとが組み合わされたときの状態を示す背面図である。
【図３Ａ】図２ＣのＡ−Ａ’線における実施の形態に係る表示装置の断面図である。
【図３Ｂ】図３ＡのＢ−Ｂ’線における実施の形態に係る表示装置の断面図である。
【図４】実施の形態に係る表示装置における長辺ベゼルとシャーシと表示パネルとを組み合わせるときの様子を示す斜視図である。
【図５】従来の表示装置におけるベゼル周辺の断面図である。
【図６】従来の表示装置におけるベゼルとシャーシと表示パネルとが組み合わされたときの状態を示す断面図である。
【発明を実施するための形態】
【００１１】
（本開示の一態様に至った経緯）
まず、本実施の形態に係る表示装置の説明に先立って、本開示の一態様に至った経緯を含めて従来の表示装置について、図５及び図６を用いて説明する。図５は、従来の表示装置におけるベゼル周辺の断面図である。図６は、従来の表示装置におけるベゼルとシャーシと表示パネルとが組み合わされたときの状態を示す断面図である。
【００１２】
図５に示すように、従来の表示装置では、断面形状が一律にＬ字形状のベゼル１３１を用いている。ベゼル１３１は、表示パネル１１０の一辺に沿って延設され、かつ、表示パネル１１０の一辺の端部に対面するフラットな板状の第１フレーム１３１ａと、表示パネル１１０の一辺に沿って延設され、かつ、第１フレーム１３１ａから表示パネル１１０に向かって突出するフラットな板状の第２フレーム１３１ｂとからなる。第２フレーム１３１ｂは、表示パネル１１０の表示面側の外周端部を覆っている。
【００１３】
このように構成されるベゼル１３１は、パネルフック１５０を介してシャーシ１２０に取り付けられている。
【００１４】
図６に示すように、従来の表示装置では、パネルフック１５０を介してベゼル１３１を表示パネル１１０及びシャーシ１２０に押し当ててネジ１８０でネジ止めすることによってベゼル１３０をシャーシ１２０に固定している。
【００１５】
しかしながら、表示パネル１１０及びシャーシ１２０を湾曲させた湾曲ディスプレイの場合、断面形状がＬ字形状のベゼル１３１を用いて湾曲状態に組み合わされた表示パネル１１０及びシャーシ１２０に対してネジ１８０でネジ止めすると、図６に示す矢印の向きにベゼル１３１が変形する。つまり、ベゼル１３１の第２フレーム１３１ｂが表示パネル１１０から開くように変形する。この結果、ベゼル１３１の第２フレーム１３１ｂと表示パネル１１０との間に隙間が発生するという問題がある。
【００１６】
さらに、湾曲状態の表示パネル１１０及び湾曲形状のシャーシ１２０に断面形状がＬ字形状のベゼル１３１をネジ１８０で締め付け固定すると、ネジ１８０で締結した箇所以外の箇所で、表示パネル１１０がシャーシ１２０に追従しないという問題があることも分かった。さらに、部品組み込みのバラつきによりベゼル１３１と表示パネル１１０との間に隙間が発生することもあり、表示パネル１１０の湾曲の曲率が一律でなくなるという問題もあることが分かった。
【００１７】
これらの問題は、表示パネル１１０の曲率半径Ｒが小さくなるにつれて顕著に発生する。特に、表示パネル１１０の曲率半径Ｒが２０００ｍｍ以下、さらに１５００ｍｍ以下の場合に顕著に発生する。
【００１８】
本開示は、このような知見に基づいてなされたものであり、本願発明者らは、鋭意検討した結果、表示パネルを湾曲させた場合であっても、表示パネル、シャーシ及びベゼルを所望の湾曲状態で組み合わせることができる表示装置を見出した。
【００１９】
以下、本開示の実施の形態について、図面を参照しながら説明する。なお、以下に説明する実施の形態は、いずれも本開示の好ましい一具体例を示すものである。したがって、以下の実施の形態で示される、数値、形状、材料、構成要素、構成要素の配置位置及び接続形態等は、一例であって本開示の内容を限定する主旨ではない。よって、以下の実施の形態における構成要素のうち、最上位概念を示す独立請求項に記載されていない構成要素については、任意の構成要素として説明される。
【００２０】
なお、各図は、模式図であり、必ずしも厳密に図示されたものではない。また、各図において、実質的に同一の構成に対しては同一の符号を付しており、重複する説明は省略又は簡略化する。
【００２１】
（実施の形態）
まず、実施の形態に係る表示装置１の概略構成について、図１を用いて説明する。図１は、実施の形態に係る表示装置の外観斜視図である。なお、本実施の形態において、鉛直方向をＺ軸方向であり、Ｚ軸方向に垂直な方向でかつ表示装置１の表示面に垂直な方向をＹ軸方向とし、Ｚ軸方向及びＹ軸方向に垂直な方向をＸ軸方向としている。また、Ｙ軸方向の表示面側（正面側）の方向を手前方向とし、Ｙ軸方向の背面側の方向を奥行き方向とし、表示面に向かってＸ軸方向の左側の方向を左側方向とし、その反対側を右側方向とする。
【００２２】
図１に示すように、本実施の形態における表示装置１は、画像を表示するための表示パネル１０と、表示パネル１０が配置されるシャーシ２０と、表示パネル１０の表示面の周縁を覆うベゼル３０と、表示パネル１０及びシャーシ２０の背面を覆うバックカバー（背面筐体）４０とを備える。表示装置１は、例えばテレビ受像機である。
【００２３】
表示装置１は、湾曲ディスプレイであって、本実施の形態では、表示面がＹ軸方向の手前方向に向かって凸状（つまり奥行き方向に向かって凹状）となるように表示面全体が湾曲している。具体的には、表示パネル１０がＹ軸方向の奥行き方向に向かって凹状となるように全体が湾曲している。
【００２４】
以下、表示装置１の各構成部材及び表示パネル１０とシャーシ２０とベゼル３０との取り付け状態について、図２Ａ〜図２Ｃ及び図３Ａ及び図３Ｂを用いて詳細に説明する。図２Ａ〜図２Ｂは、実施の形態に係る表示装置における表示パネルとシャーシとベゼルとが組み合わされたときの状態を示す図であり、図２Ａは上面図、図２Ｂは正面図、図２Ｃは背面図である。図３Ａは、図２ＣのＡ−Ａ’線における断面図であり、図３Ｂは、図３ＡのＢ−Ｂ’線における断面図である。
【００２５】
表示パネル１０は、例えば有機ＥＬ表示パネルである。なお、表示パネル１０は、有機ＥＬ表示パネルに限定されるものではなく、無機ＥＬパネル又は液晶表示パネル等、その他のフラット表示パネルを用いてもよい。
【００２６】
本実施の形態において、表示パネル１０は、シャーシ２０の湾曲形状に沿って湾曲させられてシャーシ２０に取り付けられている。具体的には、表示パネル１０に曲げ応力を付与することによって表示パネル１０をシャーシ２０の湾曲形状に追従させるように湾曲させている。これにより、表示パネル１０は、湾曲した状態でシャーシ２０の前面（凸面）に取り付けられる。
【００２７】
表示パネル１０は、湾曲する前（フラット時）の正面視形状が矩形であり、例えば、縦の長さが５００〜８００ｍｍで、横の長さが８００〜１４００ｍｍである。また、表示パネル１０の厚みは、例えば１ｍｍ〜３ｍｍ程度である。
【００２８】
本実施の形態において、表示パネル１０は一軸方向のみに湾曲している。一例として、表示パネル１０は、フラット時の長手方向（Ｘ軸方向）が湾曲するように両端部が緩やかに曲げられている。つまり、表示パネル１０は、表示面がＹ軸方向の奥行き方向に向かって凹状（手前方向に向かって凸状）となるように全体が湾曲している。この場合、表示パネル１０において湾曲する辺（湾曲辺）は表示パネル１０の長辺であり、表示パネル１０の短辺は直線状のままである。
【００２９】
例えば、湾曲させたときの表示パネル１０の曲率半径Ｒは、５０００ｍｍ以下であり、一例として、Ｒ＝１５００ｍｍ、１０００ｍｍである。
【００３０】
なお、表示パネル１０は、１つの表示面に異なる曲率半径が存在していてもよい。例えば、表示パネル１０の表示面を中央部と左側周辺部と右側周辺部との３つの領域に分割した場合、中央部の曲率半径と左側周辺部（右側周辺部）の曲率半径とを異ならせてもよい。
【００３１】
図３Ａ及び図３Ｂに示すように、表示パネル１０は、背面側の第１基板１１と表示面側の第２基板１２とを有する。表示パネル１０が有機ＥＬ表示パネルである場合、第１基板１１と第２基板１２との間には、例えば、陽極と、陰極と、陽極及び陰極に挟まれた有機層（発光層及び電荷機能層）とが形成されている。
【００３２】
第１基板１１及び第２基板１２は、例えば厚さが０．５ｍｍのガラス基板である。第１基板（ＴＦＴ基板）１１の周辺端部には取り出し電極が形成されているので、第１基板１１の方が第２基板（封止基板）１２よりも大きい。
【００３３】
なお、第１基板１１の外面には、アルミシート等の放熱シートが貼り付けられていてもよい。また、第２基板１２の外面（表示面）には、光学フィルムや反射防止フィルム（ＡＲフィルム）が貼り付けられていてもよい。
【００３４】
シャーシ２０は、表示パネル１０が取り付けられる取り付け板である。本実施の形態において、シャーシ２０は、表示パネル１０が配置される前に予め湾曲形状に形成された湾曲状の板状部材であって、表示パネル１０の湾曲状態を維持するように表示パネル１０を保持する。なお、シャーシ２０と表示パネル１０とは接着剤等を用いずに非接合状態で取り付けられているが、シャーシ２０と表示パネル１０とは接着剤等によって接合されていてもよい。
【００３５】
シャーシ２０は、金属製であり、例えばアルミニウム合金や鉄合金等からなる矩形の板状部材（金属板）を用いて所定の曲率半径の湾曲形状となるように加工される。シャーシ２０としては、例えば、板厚が１ｍｍ程度のアルミニウム合金板を用いることができる。
【００３６】
本実施の形態におけるシャーシ２０は、Ｙ軸方向の奥行き方向に向かって凹状（手前方向に向かって凸状）となるように全体が湾曲している。この場合、シャーシ２０において湾曲する辺（湾曲辺）はシャーシ２０の長手方向の辺であって表示パネル１０の湾曲辺（長辺）に対応し、シャーシ２０の短手方向の辺は直線状のままであって表示パネル１０の直線状の辺（短辺）に対応する。
【００３７】
なお、シャーシ２０の機械的強度を向上させるために、シャーシ２０に絞り加工を施して凹凸を形成してもよい。これにより、曲率半径Ｒが小さいシャーシ２０に表示パネル１０を取り付ける場合であっても、シャーシ２０は表示パネル１０の所望の湾曲状態で保持することができる。
【００３８】
図２Ａ〜図２Ｃに示すように、ベゼル３０は、エスカッションフレームであって、表示パネル１０を囲むように設けられている。ベゼル３０は、表示パネル１０の一対の長辺の各々に沿って配置された一対の長辺ベゼル３１と、表示パネル１０の一対の短辺の各々に沿って配置された一対の短辺ベゼル３２とを有する。一対の長辺ベゼル３１と一対の短辺ベゼル３２とによって額縁状の枠体からなるベゼル３０が構成されている。ベゼル３０（長辺ベゼル３１及び短辺ベゼル３２）は、例えば金属材料を用いて形成することができる。なお、金属材料に限らず、樹脂材料を用いてベゼル３０を形成してもよい。
【００３９】
長辺ベゼル（第１ベゼル）３１は、表示パネル１０の長辺（湾曲辺）に沿って湾曲する長尺状の湾曲状のベゼル（湾曲ベゼル）であって、第１長辺フレーム３１ａと、第１長辺フレーム３１ａに設けられた第２長辺フレーム３１ｂと、第１長辺フレーム３１ａに設けられた舌片３１ｃとを有する。
【００４０】
第１長辺フレーム３１ａは、表示パネル１０の湾曲辺に沿って湾曲するように延在する。本実施の形態における第１長辺フレーム３１ａは、表示パネル１０の湾曲辺の側面に対向する主面を有する板体であり、かつ、その平面視形状が湾曲形状となっている。つまり、第１長辺フレーム３１ａは、Ｚ軸方向から見たときに湾曲した形状となっている。本実施の形態において、第１長辺フレーム３１ａの幅（Ｙ方向の長さ）は一定（一律）である。
【００４１】
第２長辺フレーム３１ｂは、第１長辺フレーム３１ａの短手方向（Ｚ軸方向）の両端部の一方から表示パネル１０側に向かって突出する板体であり、かつ、表示パネル１０の湾曲する湾曲辺に沿って延在している。また、第２長辺フレーム３１ｂは、側面視形状が湾曲形状である。つまり、第２長辺フレーム３１ｂは、Ｙ軸方向から見たときに湾曲した形状となっている。本実施の形態において、第２長辺フレーム３１ｂの幅（Ｚ方向の長さ）は一定（一律）である。
【００４２】
また、第２長辺フレーム３１ｂは、第１長辺フレーム３１ａの短手方向の両端部のうちの表示面側の端部から突出するように、かつ、表示パネル１０の表示面の外周端部を覆うように形成されている。具体的に、第２長辺フレーム３１ｂは、表示パネル１０の湾曲辺に沿って表示面の外周端部を覆うように延在している。これにより、第２長辺フレーム３１ｂによって表示パネル１０の表示面の外周端部（長辺部分）が保護される。第２長辺フレーム３１ｂは、表示パネル１０の表示面の外周端部に接触している。
【００４３】
本実施の形態において、長辺ベゼル３１は、シャーシ２０と組み合わせる前に、予め湾曲形状に形成されている。つまり、第１長辺フレーム３１ａ及び第２長辺フレーム３１ｂは、予め湾曲形状に加工されている。
【００４４】
舌片３１ｃは、第１長辺フレーム３１ａから表示パネル１０側に向かって突出するように設けられた板体である。本実施の形態における舌片３１ｃは、湾曲していないフラットな板体であり、第１長辺フレーム３１ａの短手方向の両端部の他方の一部から表示パネル１０側に向かって突出している。具体的に、舌片３１ｃは、シャーシ２０の外周端部の一部を覆うように突出させている。舌片３１ｃは、表示パネル１０の湾曲辺に沿って離散的に複数設けられている。つまり、複数の舌片３１ｃが第１長辺フレーム３１ａの長手方向に沿って所定の間隔で設けられている。本実施の形態において、舌片３１ｃは、一定の間隔で７つ設けられている。
【００４５】
また、図３Ｂに示すように、長辺ベゼル３１は、舌片３１ｃに接続された突起部３１ｃ１を有する。突起部３１ｃ１は、第１長辺フレーム３１ａよりも内側の位置に設けられている。例えば、突起部３１ｃ１は、Ｙ軸方向においてシャーシ２０に対向する位置に設けられている。本実施の形態では、図３Ｂに示すように、突起部３１ｃ１は、舌片３１ｃの先端に設けられている。なお、突起部３１ｃ１にはＺ軸方向に貫通するネジ孔が設けられている。
【００４６】
このように構成される長辺ベゼル３１では、図３Ａ及び図３Ｂに示すように、第２長辺フレーム３１ｂ及び舌片３１ｃが、シャーシ２０の湾曲辺の端部及び表示パネル１０の湾曲辺の端部を挟み込む挟み込み部として機能する。つまり、第２長辺フレーム３１ｂ及び舌片３１ｃが一対の挟み込み片となってシャーシ２０の湾曲辺の端部と表示パネル１０の湾曲辺の端部とを挟み込んでいる。具体的には、長辺ベゼル３１は、第１長辺フレーム３１ａ、第２長辺フレーム３１ｂ及び舌片３１ｃによって断面形状がコ字形状の挟み込み部を有する。例えば、第２長辺フレーム３１ｂは、一対の挟み込み片の一方であり、舌片３１ｃは、一対の挟み込み片の他方である。
【００４７】
また、上述のように、本実施の形態では舌片３１ｃが表示パネル１０の湾曲辺に沿って所定の間隔で複数設けられている。したがって、シャーシ２０と表示パネル１０とを挟み込む長辺ベゼル３１における挟み込み部も、表示パネル１０の湾曲辺に沿って所定の間隔で複数設けられている。具体的には、長辺ベゼル３１は、断面形状がコ字形状の挟み込み部が第１長辺フレーム３１ａの長手方向に沿って離散的に複数設けられている。なお、本実施の形態における長辺ベゼル３１では、断面形状がコ字形状の部分以外は、直角をなすように接合された第１長辺フレーム３１ａ及び第２長辺フレーム３１ｂによって断面形状がＬ字形状となっている。
【００４８】
また、図３Ａ及び図３Ｂに示すように、長辺ベゼル３１は、シャーシ２０に固定されている。本実施の形態において、長辺ベゼル３１は、パネルフック５０を介してシャーシ２０に固定されている。
【００４９】
パネルフック５０は、表示パネル１０の位置を決める機能を有し、表示パネル１０の位置を規制する規制部５１と、規制部５１に接続される接続部５２とを有する。パネルフック５０は、例えば樹脂材料によって形成しているが、これに限るものではない。
【００５０】
規制部５１は、長辺ベゼル３１の第１長辺フレーム３１ａと表示パネル１０の湾曲辺との間に位置するように接続部５２から突出している。例えば、図１に示すような状態で表示装置１を通常の縦置きに設置した場合、表示パネル１０の下側の位置する湾曲辺の端部の側面が、下側に位置する長辺ベゼル３１に取り付けられたパネルフック５０の規制部５１の当接面に当接する。このように、パネルフック５０は、表示パネル１０の鉛直方向の下端部を規制する。
【００５１】
なお、パネルフック５０は、表示装置１を設置する際における表示パネル１０の位置決め機能だけではなく、表示装置１の製造時における表示パネル１０とシャーシ２０とベゼル３０とを組み立てる際の位置決め機能も有する。
【００５２】
また、規制部５１の端部には段差部５１ａが設けられており、段差部５１ａによってシャーシ２０の端部の位置も規制している。つまり、シャーシ２０の湾曲辺の端部の側面は、規制部５１の段差部５１ａの段差面に当接する。
【００５３】
また、パネルフック５０の接続部５２は、長辺ベゼル３１の挟み込み部に挟み込まれる。つまり、接続部５２は、長辺ベゼル３１の第２長辺フレーム３１ｂと舌片３１ｃとの間に位置する。具体的に、接続部５２は、シャーシ２０の湾曲辺の端部と舌片３１ｃとに挟持される。
【００５４】
なお、図３Ｂに示すように、接続部５２の舌片３１ｃ側の面は平面であるが、接続部５２のシャーシ２０側の面はシャーシ２０の湾曲面に面接触する湾曲面となっている。
【００５５】
本実施の形態における接続部５２は、表示パネル１０の内方に向かって舌片３１ｃからはみ出すように延設された延設部５２ａを有する。延設部５２ａにはネジ孔が設けられており、延設部５２ａとシャーシ２０とをネジ止めすることによってパネルフック５０とシャーシ２０とを固定することができる。
【００５６】
さらに、接続部５２には突出部５２ｂが形成されている。突起部５２ｂにはＺ軸方向に貫通するネジ孔が設けられている。突起部５２ｂと長辺ベゼル３１の舌片３１ｃから突出する突起部３１ｃ１とをネジ止め等することによって、パネルフック５０と長辺ベゼル３１とを固定することができる。
【００５７】
次に、ベゼル３０の短辺ベゼル３２について説明する。短辺ベゼル（第２ベゼル）３２は、表示パネル１０の直線状の短辺に沿って設けられた直線状のベゼルであって、第１短辺フレーム３２ａと、第１短辺フレーム３２ａに設けられた第２短辺フレーム３２ｂと、第２短辺フレーム３２ｂに設けられた舌片３２ｃとを有する。
【００５８】
第１短辺フレーム３２ａは、表示パネル１０の直線状の辺に沿って配置されている。本実施の形態における第１短辺フレーム３２ａは、表示パネル１０の直線状の短辺の側面に対向する主面を有する板体である。本実施の形態において、第１短辺フレーム３２ａの幅（Ｙ方向の長さ）は一定（一律）である。
【００５９】
第２短辺フレーム３２ｂは、第１短辺フレーム３２ａの短手方向（Ｚ軸方向）の両端部の一方から表示パネル１０側に向かって突出する板体であり、かつ、表示パネル１０の直線状の短辺に沿って延在している。本実施の形態において、第２短辺フレーム３２ｂの幅（Ｘ方向の長さ）は一定（一律）である。
【００６０】
また、第２短辺フレーム３２ｂは、第１短辺フレーム３２ａの短手方向の両端部のうちの表示面側の端部から突出するように、かつ、表示パネル１０の表示面の外周端部を覆うように形成されている。具体的に、第２短辺フレーム３２ｂは、表示パネル１０の直線状の短辺に沿って表示面の外周端部を覆うように延在している。これにより、第２短辺フレーム３２ｂによって表示パネル１０の表示面の外周端部（短辺部分）が保護される。第２短辺フレーム３２ｂは、表示パネル１０の表示面の外周端部に接触している。
【００６１】
短辺ベゼル３２の舌片３２ｃは、第１短辺フレーム３２ａから表示パネル１０側に向かって突出するように設けられた板体である。本実施の形態における舌片３２ｃは、第１短辺フレーム３２ａの短手方向の両端部の他方の一部から表示パネル１０側に向かって突出している。具体的に、舌片３２ｃは、シャーシ２０の外周端部を覆うように突出させている。本実施の形態において、舌片３２ｃは１つのみ設けられているが、複数設けられていてもよい。
【００６２】
このように構成される短辺ベゼル３２では、長辺ベゼル３１と同様に、第２短辺フレーム３２ｂ及び舌片３２ｃが、シャーシ２０の端部及び表示パネル１０の直線状の辺の端部を挟み込む挟み込み部として機能する。つまり、第２短辺フレーム３２ｂ及び舌片３２ｃが一対の挟み込み片となってシャーシ２０の端部と表示パネル１０の直線状の辺の端部とを挟み込んでいる。具体的には、短辺ベゼル３２は、第１短辺フレーム３２ａ、第２短辺フレーム３２ｂ及び舌片３２ｃによって断面形状がコ字形状の挟み込み部を有する。例えば、第２短辺フレーム３２ｂは、一対の挟み込み片の一方であり、舌片３２ｃは、一対の挟み込み片の他方である。
【００６３】
なお、図２Ｃに示すように、シャーシ２０の背面には、フレキシブルケーブル６０を介して表示パネル１０に接続された複数の回路基板（ＰＣＢ）７０が取り付けられる。
【００６４】
フレキシブルケーブル６０は、表示パネル１０の第１基板１１の取り出し電極に接続される。なお、フレキシブルケーブル６０は、ＣＯＦ（Ｃｈｉｐ  Ｏｎ  Ｆｉｌｍ）であってもよい。
【００６５】
また、各回路基板７０は、複数のフレキシブルケーブル６０によって表示パネル１０に接続されている。回路基板７０には、電子部品が実装されている。
【００６６】
図４は、長辺ベゼル３１をシャーシ２０及び表示パネル１０に取り付けるときの様子を示している。なお、図４では、シャーシ２０を背面側から見たときの様子を示しており、表示パネル１０はシャーシ２０に隠れている。
【００６７】
図４に示すように、フレキシブルケーブル６０を介して回路基板７０が接続された表示パネル１０をシャーシ２０の前面に配置して、第２長辺フレーム３１ｂと舌片３１ｃとによってシャーシ２０の湾曲辺の端部及び表示パネル１０の湾曲辺の端部とを挟み込むようにして長辺ベゼル３１をシャーシ２０及び表示パネル１０に取り付ける。
【００６８】
図示していないが、本実施の形態では、長辺ベゼル３１をシャーシ２０に取り付ける前に、図３Ａに示すように、シャーシ２０にパネルフック５０を取り付ける。その後で、表示パネル１０の湾曲辺の端部とシャーシ２０の端部とパネルフック５０の接続部５２とを第２長辺フレーム３１ｂと舌片３１ｃとによって挟み込む。
【００６９】
その後、長辺ベゼル３１とパネルフック５０とをネジによって固定するとともに、シャーシ２０とパネルフック５０とをネジによって固定する。これにより、パネルフック５０を介して長辺ベゼル３１をシャーシ２０に固定することができる。
【００７０】
以上、本実施の形態に係る表示装置１によれば、湾曲状態の表示パネル１０の湾曲辺の端部及び湾曲形状のシャーシ２０の端部が、表示パネル１０の湾曲辺に沿って延在する湾曲状のベゼル（長辺ベゼル３１）に離散的に設けられた複数の挟み込み部で挟み込まれている。また、本実施の形態では、長辺ベゼル３１及びシャーシ２０が予め湾曲形状に形成されている。
【００７１】
このように、予め湾曲形状に形成された長辺ベゼル３１及びシャーシ２０を用いることによって、表示パネル１０は長辺ベゼル３１及びシャーシ２０の湾曲形状にならうように湾曲変形する。つまり、表示パネル１０は長辺ベゼル３１及びシャーシ２０の湾曲形状に追従して湾曲状態となる。
【００７２】
しかも、ベゼルの形状を湾曲形状にすることによって、ベゼルの強度を向上させることもできる。すなわち、湾曲形状の長辺ベゼル３１を用いることによって、ベゼルを変形させることなく表示パネル１０を保持することができる。また、ベゼルの強度が向上することで、ベゼルの剛性によって表示パネル１０の湾曲状態を容易に維持することができる。
【００７３】
このように、本実施の形態では、湾曲形状の長辺ベゼル３１及びシャーシ２０が表示パネル１０を湾曲状態に保持している。これにより、長辺ベゼル３１と表示パネル１０との間に隙間が発生することを抑制できる。
【００７４】
また、ベゼルの強度が向上することで、第１長辺フレーム３１ａの幅を狭くすることができる。つまり、長辺ベゼル３１のＹ軸方向の長さを小さくすることができる。これにより、表示装置１の端部の薄型化を図ることができる。また、表示装置１の奥行き方向の長さが短くなるので、薄型の湾曲ディスプレイを実現できる。
【００７５】
さらに、本実施の形態では、長辺ベゼル３１の挟み込み部が表示パネル１０の湾曲辺に沿って複数設けられている。すなわち、長辺ベゼル３１の挟み込み部が表示パネル１０の湾曲辺に沿って離散的に複数設けられている。
【００７６】
これにより、長辺ベゼル３１の挟み込み部を長辺ベゼル３１の長手方向の全領域にわたって形成する場合と比べて、湾曲状の長辺ベゼル３１の剛性が強くなりすぎることを緩和することができる。したがって、湾曲形状のシャーシ２０に追従させた湾曲状態の表示パネル１０を、湾曲状のベゼル（長辺ベゼル３１）に容易にならわせることができる。
【００７７】
したがって、表示パネル１０、シャーシ２０及びベゼル３０を所望の湾曲状態で組み合わせることができる。
【００７８】
さらに、表示装置１では、長辺ベゼル３１の挟み込み部によって表示パネル１０の湾曲辺の端部とシャーシ２０の端部とを挟み込んでいる。これにより、表示パネル１０とシャーシ２０と長辺ベゼル３１との組み立て性を向上させることもできる。
【００７９】
また、本実施の形態では、湾曲板状の第１フレーム（第１長辺フレーム３１ａ）から突出する板状の第２フレーム（第２長辺フレーム３１ｂ）と板状の舌片３１ｃとによる一対の挟み込み片によって、湾曲状態の表示パネル１０の湾曲辺の端部と湾曲形状のシャーシ２０の湾曲状の端部とが挟み込まれている。つまり、湾曲状のベゼル（長辺ベゼル３１）の挟み込み部の断面形状をコ字形状としている。
【００８０】
これにより、湾曲状のベゼル（長辺ベゼル３１）の強度を一層向上させることができるので、湾曲状のベゼル（長辺ベゼル３１）が変形することを一層抑制できる。したがって、長辺ベゼル３１と表示パネル１０との間に隙間が発生することを一層抑制できる。この結果、より一層、表示パネル１０、シャーシ２０及びベゼル３０を所望の湾曲状態で組み合わせることができる。
【００８１】
また、本実施の形態では、長辺ベゼル３１の締結部分が内側に位置している。具体的には、長辺ベゼル３１の舌片３１ｃに接続された突起部３１ｃ１とパネルフック５０の接続部５２の突起部５２ｂとが第１長辺フレーム３１ａよりも内側でネジ止めされることによって、長辺ベゼル３１とパネルフック５０とがネジ止め固定されている。
【００８２】
これにより、長辺ベゼル３１を断続的にシャーシ２０にネジで締め付け固定する場合であっても、ネジで締結した箇所以外の箇所で表示パネル１０がシャーシ２０に追従しなくなることを回避でき、長辺ベゼル３１の長手方向に沿って連続的に表示パネル１０をシャーシ２０に追従させることができる。したがって、より一層、表示パネル１０、シャーシ２０及びベゼル３０を所望の湾曲状態で組み合わせることができる。また、部品組み込みのバラつきによる長辺ベゼル３１と表示パネル１０との間に隙間が発生することも抑制できる。
【００８３】
（変形例１）
上記の実施の形態では、表示装置１に組み込んだときに湾曲状態となっている長辺ベゼル３１及びシャーシ２０は、予め湾曲形状に形成された剛性の高いものを用いたが、これに限らない。
【００８４】
例えば、長辺ベゼル３１として、上記実施の形態と同様に、予め湾曲形状に形成された剛性の高いものを用いることによって、シャーシ２０として剛性の弱い薄いフラット板を用いることができる。
【００８５】
この場合、表示パネル１０及びシャーシ２０は、これらよりも剛性の高い長辺ベゼル３１の湾曲形状にならうように湾曲変形させることによって、表示パネル１０及びシャーシ２０の湾曲状態を保持させることができる。つまり、表示パネル１０及びシャーシ２０を長辺ベゼル３１の湾曲形状に追従させて湾曲させることによって、表示装置１に組み込んだときに表示パネル１０及びシャーシ２０を湾曲状にしてもよい。
【００８６】
（変形例２）
また、変形例１とは逆に、シャーシ２０としては、上記実施の形態と同様に、予め湾曲形状に形成された剛性の高いものを用いて、長辺ベゼル３１としては、剛性の弱いものを用いてもよい。
【００８７】
この場合、表示パネル１０及び長辺ベゼル３１は、これらよりも剛性の高いシャーシ２０の湾曲形状にならうように湾曲変形させることによって、表示パネル１０及び長辺ベゼル３１の湾曲状態を保持させることができる。つまり、表示パネル１０及び長辺ベゼル３１をシャーシ２０の湾曲形状に追従させて湾曲させることによって、表示装置１に組み込んだときに表示パネル１０及び長辺ベゼル３１を湾曲状にしてもよい。
【００８８】
（その他の変形例等）
以上、実施の形態に基づいて表示装置の一態様を説明したが、本開示は、これらの実施の形態に限定されるものではない。
【００８９】
例えば、上記実施の形態において、表示パネル１０は、表示面がＹ軸方向の手前方向に向かって凸状となるように湾曲させたが、これとは逆に、表示面がＹ軸方向の奥行き方向に向かって凸状となるように湾曲させてもよい。
【００９０】
また、上記実施の形態において、表示パネル１０は、長手方向（Ｘ軸方向）が湾曲するように湾曲させたが、これとは逆に、短手方向（Ｙ軸方向）が湾曲するように湾曲させてもよい。
【００９１】
また、上記実施の形態では、表示パネル１０の第１基板１１及び第２基板１２として薄いガラス基板を用いたが、第１基板１１及び第２基板１２は、ガラス基板ではなく、可撓性を有する樹脂基板であってもよい。
【００９２】
また、上記実施の形態では、表示パネル１０の外周端部とシャーシ２０の外周端部とは接触しているが、表示パネル１０の外周端部とシャーシ２０の外周端部との間に、接着シート（スペーサ）を挿入してもよい。接着シートとしては、例えば、両面が粘着性を有する両面接着シートを用いることができる。この場合、一方の面が弱粘着性を有し、他方の面が強粘着性を有する両面接着シートを用いることができる。このような、両面の粘着性が異なる接着シートを用いることによって、表示パネル１０とシャーシ２０との熱膨張差によるズレを接着シートで吸収することができる。
【００９３】
また、上記実施の形態において、表示装置１はテレビ受像機であるとしたが、これに限らない。表示装置１としては、外部から入力される映像を表示するモニタディスプレイ、広告媒体として使用されるデジタルサイネージ、又は、タッチパネルによってユーザの操作を受け付ける携帯端末、タブレット端末若しくはテーブル型表示装置等であってもよい。
【００９４】
その他、各実施の形態及び変形例に対して当業者が思いつく各種変形を施して得られる形態、又は、本開示の趣旨を逸脱しない範囲で各実施の形態及び変形例における構成要素及び機能を任意に組み合わせることで実現される形態も本開示に含まれる。
【産業上の利用可能性】
【００９５】
本開示は、例えば薄型化が要求される表示装置に有用であり、テレビ受像機、モニタディスプレイ、デジタルサイネージ、携帯端末、タブレット端末、又は、テーブル型表示装置等の電子機器に適用できる。
【符号の説明】
【００９６】
１  表示装置
１０  表示パネル
１１  第１基板
１２  第２基板
２０  シャーシ
３０  ベゼル
３１  長辺ベゼル
３１ａ  第１長辺フレーム
３１ｂ  第２長辺フレーム
３１ｃ、３２ｃ  舌片
３１ｃ１、５２ｂ  突起部
３２  短辺ベゼル
３２ａ  第１短辺フレーム
３２ｂ  第２短辺フレーム
４０  バックカバー
５０  パネルフック
５１  規制部
５１ａ  段差部
５２  接続部
５２ａ  延設部
６０  フレキシブルケーブル
７０  回路基板
【図１】
2015219387.tif 000003
【図２Ａ】
2015219387.tif 000004
【図２Ｂ】
2015219387.tif 000005
【図２Ｃ】
2015219387.tif 000006
【図３Ａ】
2015219387.tif 000007
【図３Ｂ】
2015219387.tif 000008
【図４】
2015219387.tif 000009
【図５】
2015219387.tif 000010
【図６】
2015219387.tif 000011